(57)【要約】【課題】メラトニン分泌抑制効果のある波長域を低減した光で照明したうえで、商品の演色性を確保できる店舗用照明装置を提供する。【解決手段】主光源13により、メラトニン分泌抑制効果のある波長域を低減した分光分布の光で、店内全体を照明する。補助光源16により、主光源13で低減されたメラトニン分泌抑制効果のある波長域を補う青色の光で、商品を照明する。主光源13の光と補助光源16の光との混色光により商品を照明し、商品の演色性を確保する。【選択図】図１
2008021426.tif 000002
【特許請求の範囲】
【請求項１】
メラトニン分泌抑制効果のある波長域を低減した分光分布の光で店内全体を照明する主光源と；
主光源で低減されたメラトニン分泌抑制効果のある波長域を補う青色の光で商品を照明する補助光源と；
を具備していることを特徴とする店舗用照明装置。
【請求項２】
メラトニン分泌抑制効果のある波長域を低減した分光分布の光で店内全体を照明する主光源と；
メラトニン分泌抑制効果のある波長域を含む白色の光で商品を照明する補助光源と；
を具備していることを特徴とする店舗用照明装置。
【請求項３】
メラトニン分泌抑制効果のある波長域を低減した分光分布の光で店内全体を照明する主光源と；
店内の従業員専用エリアにメラトニン分泌抑制効果のある波長域の光を照射する補助光源と；
を具備していることを特徴とする店舗用照明装置。
【請求項４】
主光源は、メラトニン分泌抑制効果のある波長域より短波長側に青色成分のピーク波長を有するか、メラトニン分泌抑制効果のある波長域のピーク波長をカットするかのいずれか一方により、メラトニン分泌抑制効果のある波長域を低減した
ことを特徴とする請求項１ないし３いずれか一記載の店舗用照明装置。
【請求項５】
補助光源の強度は、主光源の相関色温度に応じて、相関色温度が高いほど低く、相関色温度が低いほど高い関係を有している
ことを特徴とする請求項１ないし４いずれか一記載の店舗用照明装置。
【発明の詳細な説明】
【技術分野】
【０００１】
本発明は、店内を照明する店舗用照明装置に関する。
【背景技術】
【０００２】
照明環境において、睡眠を誘発するホルモンであるメラトニンの分泌を抑制する分光分布が解明されてきている。
【０００３】
発光装置において、赤、緑、青のＬＥＤを用いて白色で照明するとともに、青としてピーク波長が異なる２種類の青のＬＥＤを用い、その一方は睡眠を誘発するホルモンであるメラトニンの分泌を抑制するピーク波長の光を多く放出する青のＬＥＤとし、他方はそのメラトニン分泌抑制効果のあるピーク波長の光の放出が少ない青のＬＥＤとしたものがある。そして、赤、緑、一方の青のＬＥＤを点灯したときは、メラトニンの分泌を抑制するピーク波長の光を多く含むので、室内の人に対してメラトニン分泌抑制効果を与え、覚醒効果をもたらすことを可能とし、また、赤、緑、他方の青のＬＥＤを点灯したときは、メラトニンの分泌を抑制するピーク波長の光が少ないので、室内の人に対するメラトニン分泌抑制効果を抑制することを可能としている（例えば、特許文献１参照。）。
【０００４】
また、コンビニエンスストアやスーパーマーケット、レンタルビデオ店等の店舗では、一般的に、３波長形蛍光ランプ等の光源が多く使用されているが、この光源にはメラトニン分泌抑制効果のある波長域が含まれている。
【特許文献１】特開２００５−６３６８７号公報（第５頁、図１）
【発明の開示】
【発明が解決しようとする課題】
【０００５】
コンビニエンスストアやスーパーマーケット、レンタルビデオ店等の店舗では、深夜営業する店舗があるが、深夜に来店した利用客に対してメラトニン分泌抑制効果のある波長域を含む光を曝露することになり、利用客のメラトニンの分泌が抑制され、自宅に帰宅してから眠れにくくなるなどのおそれがある。
【０００６】
これを解決するためには、メラトニン分泌抑制効果のある波長域を低減した光で店内全体を照明すればよいが、メラトニン分泌抑制効果のある波長域である青色を低減すると、照明光が黄色くなるため、商品の演色性が損なわれてしまう問題がある。また、従業員については、メラトニン分泌抑制効果が低減することで、メラトニンの分泌により覚醒水準が低下して睡眠を誘発し、注意力や作業効率が低下するなどの勤務に支障が生じる問題がある。
【０００７】
本発明は、このような点に鑑みなされたもので、メラトニン分泌抑制効果のある波長域を低減した光で照明したうえで、商品の演色性を確保したり、または従業員の覚醒水準を向上させることができる店舗用照明装置を提供することを目的とする。
【課題を解決するための手段】
【０００８】
請求項１記載の店舗用照明装置は、メラトニン分泌抑制効果のある波長域を低減した分光分布の光で店内全体を照明する主光源と；主光源で低減されたメラトニン分泌抑制効果のある波長域を補う青色の光で商品を照明する補助光源と；を具備しているものである。
【０００９】
店舗用照明装置は、例えば、コンビニエンスストアやスーパーマーケットなどの店舗用であって、天井に設置される主光源によって店内全体を照明する。主光源は、例えば、３波長形蛍光ランプが用いられ、メラトニン分泌抑制効果のある波長域より短波長側に青色成分のピーク波長を有する蛍光体を用いたり、メラトニン分泌抑制効果のある波長域のピーク波長をカットするなどして、メラトニン分泌抑制効果のある青色系の波長域が低減した分光分布の光を照射する。補助光源は、商品を陳列する商品陳列棚の棚下灯、商品陳列棚を上方から照明するスポットライト等がある。補助光源には、例えば、青色発光ダイオードや青色カラー蛍光ランプ等が用いられる。青色発光ダイオードは、照射する光に熱線を含まず、商品を加熱することがないので好ましい。
【００１０】
請求項２記載の店舗用照明装置は、メラトニン分泌抑制効果のある波長域を低減した分光分布の光で店内全体を照明する主光源と；メラトニン分泌抑制効果のある波長域を含む白色の光で商品を照明する補助光源と；を具備しているものである。
【００１１】
補助光源は、例えば、白色発光ダイオード、白色光を照射する蛍光ランプ等が用いられる。
【００１２】
請求項３記載の店舗用照明装置は、メラトニン分泌抑制効果のある波長域を低減した分光分布の光で店内全体を照明する主光源と；店内の従業員専用エリアにメラトニン分泌抑制効果のある波長域の光を照射する補助光源と；を具備しているものである。
【００１３】
補助光源は、青色発光ダイオードや青色カラー蛍光ランプ等が用いられ、定期的または不定期的に点滅あるいは点灯強度を変化させ、青色の単波長光を従業員に曝露する。青色の単波長光が曝露された従業員は覚醒水準が向上する。
【００１４】
請求項４記載の店舗用照明装置は、請求項１ないし３いずれか一記載の店舗用照明装置において、主光源は、メラトニン分泌抑制効果のある波長域より短波長側に青色成分のピーク波長を有するか、メラトニン分泌抑制効果のある波長域のピーク波長をカットするかのいずれか一方により、メラトニン分泌抑制効果のある波長域を低減したものである。
【００１５】
例えば、３波長形蛍光ランプの場合には、メラトニン分泌抑制度の度合が高いピーク波長よりも短波長側に青色成分のピーク波長を有する蛍光体を用いることで実現可能となる。あるいは、現行の３波長形蛍光ランプのバルブに、メラトニン分泌抑制度の度合が高いピーク波長をカットする干渉膜を蒸着することで実現可能となる。
【００１６】
請求項５記載の店舗用照明装置は、請求項１ないし４いずれか一記載の店舗用照明装置において、補助光源の強度は、主光源の相関色温度に応じて、相関色温度が高いほど低く、相関色温度が低いほど高い関係を有しているものである。
【００１７】
主光源の相関色温度によって、照射する光に含まれるメラトニン分泌抑制効果のある青色光の割合が変化し、それに応じて、必要な補助光源の強度を適切に設定する。
【発明の効果】
【００１８】
請求項１記載の店舗用照明装置によれば、主光源によりメラトニン分泌抑制効果のある波長域を低減した分光分布の光で店内全体を照明し、利用客に対するメラトニン分泌抑制の影響を低減できるうえに、補助光源により主光源で低減されたメラトニン分泌抑制効果のある波長域を補う青色の光で商品を照明することにより、商品の演色性を確保できる。
【００１９】
請求項２記載の店舗用照明装置によれば、主光源によりメラトニン分泌抑制効果のある波長域を低減した分光分布の光で店内全体を照明し、利用客に対するメラトニン分泌抑制の影響を低減できるうえに、補助光源によりメラトニン分泌抑制効果のある波長域を含む白色の光で商品を照明することにより、商品の演色性を確保できる。
【００２０】
請求項３記載の店舗用照明装置によれば、主光源によりメラトニン分泌抑制効果のある波長域を低減した分光分布の光で店内全体を照明し、利用客に対するメラトニン分泌抑制の影響を低減できるうえに、補助光源により従業員専用エリアにメラトニン分泌抑制効果のある波長域の光を照射することにより、従業員の覚醒水準を向上できる。
【００２１】
請求項４記載の店舗用照明装置によれば、請求項１ないし３いずれか一記載の店舗用照明装置の効果に加えて、主光源は、メラトニン分泌抑制効果のある波長域より短波長側に青色成分のピーク波長を有するか、メラトニン分泌抑制効果のある波長域のピーク波長をカットするかのいずれか一方により、メラトニン分泌抑制効果のある波長域を低減できる。
【００２２】
請求項５記載の店舗用照明装置によれば、請求項１ないし４いずれか一記載の店舗用照明装置の効果に加えて、補助光源の強度を、主光源の相関色温度に応じて、相関色温度が高いほど低く、相関色温度が低いほど高い関係とするため、補助光源の強度の過不足なく適切に設定できる。
【発明を実施するための最良の形態】
【００２３】
以下、本発明の一実施の形態を図面を参照して説明する。
【００２４】
図１は店舗用照明装置の商品陳列棚との関係を示す説明図、図２は店舗用照明装置のレジとの関係を示す説明図、図３は店舗用照明装置の事務所との関係を示す説明図、図４は店舗用照明装置の補助光源を設置したレジスタの斜視図、図５は波長とメラトニン分泌抑制度合との関係を示すグラフ、図６はランプ種類とメラトニン分泌抑制度合との関係を示すグラフ、図７は相関色温度と青色光との関係を示すグラフである。
【００２５】
図１ないし図３に示すように、コンビニエンスストアやスーパーマーケット、レンタルビデオ店等の店舗に設置される店舗用照明装置は、店内の天井11に設置されて店内全体を照明する複数の主照明器具12を備えている。この主照明器具12は、メラトニン分泌抑制効果のある波長域を低減した分光分布の光を照射する主光源13を用いている。
【００２６】
図５に波長とメラトニン分泌抑制度合との関係を示すように、ピーク波長が青色成分の波長域で、メラトニン分泌抑制度の度合が高いことが確認されている。
【００２７】
主光源13としては、例えば３波長形蛍光ランプを用いることができる。この３波長形蛍光ランプを用いる場合、図５に示すメラトニン分泌抑制度の度合が高いピーク波長よりも短波長側に青色成分のピーク波長を有する蛍光体を用いることで、メラトニン分泌抑制を低減させることが可能となる。あるいは、現行の３波長形蛍光ランプのバルブに、図５に示すメラトニン分泌抑制度の度合が高いピーク波長をカットする干渉膜を蒸着することで、メラトニン分泌抑制を低減させることが可能となる。
【００２８】
そして、主光源13によりメラトニン分泌抑制効果のある波長域を低減した分光分布の光で店内全体を照明するため、利用客に対するメラトニン分泌抑制の影響を低減できる。
【００２９】
ただし、主光源13でメラトニン分泌抑制効果のある青色の波長域を低減するために、照明光が黄色くなったり、商品の演色性が損なわれてしまうことになる。
【００３０】
そこで、図１に示すように、商品の演色性を確保するために、商品用の補助光源16を用いた補助照明器具17を設置する。
【００３１】
この商品用の補助照明器具17としては、商品を陳列する商品陳列棚20の場合には各棚21の下側に設置する棚下灯22や、天井に設置されて商品陳列棚20を上方から照明するスポットライト23等がある。棚下灯22の場合、各棚21の前側下面に沿って配置することにより、下の棚21上の商品を照明し、利用客には光を照射しないようにできる。
【００３２】
商品用の補助光源16には、主光源13で低減されたメラトニン分泌抑制効果のある波長域を補う青色の波長域の光で商品を照明する例がある。この青色の波長域の光を照射する補助光源16としては、商品を加熱する熱線を含まず、消費電力の少ない青色発光ダイオード等が適している。この補助光源16の強度は、主光源13による照明とのバランスを考慮して設定する。
【００３３】
このように、商品用の補助光源16によって主光源13で低減されたメラトニン分泌抑制効果のある波長域を補う青色の光で商品を照明することにより、主光源13の光と補助光源16の光との混色光により商品を照明し、商品の演色性を確保できる。
【００３４】
あるいは、補助光源16には、メラトニン分泌抑制効果のある波長域を含む白色の光で商品を照明する例がある。この白色の光で照明する補助光源16としては、白色発光ダイオード、蛍光ランプ、ハロゲンランプ、有機ＥＬ等がある。
【００３５】
このように、商品用の補助光源16によりメラトニン分泌抑制効果のある波長域を含む白色の光で商品を照明することにより、商品の演色性を確保できる。
【００３６】
また、主光源13でメラトニン分泌抑制効果のある青色の波長域を低減するために、従業員については、メラトニンの分泌により覚醒水準が低下して睡眠を誘発し、注意力や作業効率が低下するなどの勤務に支障が生じるおそれがある。
【００３７】
そこで、図２および図３に示すように、従業員の覚醒水準を向上させるために、従業員のみが入れるレジ内や、店内の裏の従業員が作業したり待機する事務所等のバックヤードには、従業員用（覚醒用）の補助光源26を用いた補助照明器具27を設置する。
【００３８】
この従業員用の補助照明器具27としては、図２および図４に示すように、従業員が操作するレジスタ31に設置してもよい。このレジスタ31は、レジスタ本体32の上面手前側にキー操作部33が設置され、上面奥側にディスプレイ34が設置され、このディスプレイ34の横にレシートを発行するレシート発行部35が設置されている。このレシート発行部35の従業員と対向する前面部分に補助照明器具27が設置され、補助光源26が発する光をレジスタ31を操作する従業員に曝露できるようにしている。
【００３９】
従業員用の補助光源26は、メラトニン分泌抑制効果があって覚醒水準が向上する青色の単波長光を発光するもので、青色発光ダイオードや青色カラー蛍光ランプ等が用いられる。
【００４０】
そして、補助光源26は、定期的または不定期的に点滅あるいは点灯強度を変化させ、青色の単波長光を従業員に曝露することにより、従業員の覚醒水準を向上させ、睡眠の誘発を抑制でき、注意力や作業効率を向上できる。
【００４１】
特に、補助光源26をレジスタ31のレシート発行部35に配置した場合、従業員がキー操作部33を操作したりディスプレイ34を確認するレジ作業中には、従業員の視点からずれている補助光源26が発する青色の単波長光を煩わしく感じるような影響が少なく、レジ作業が完了して発行されたレシートを利用客にわたすためにレシート発行部35に視点を移したときに補助光源26が発する青色の単波長光を確実に見ることになり、従業員の覚醒水準を向上できる。
【００４２】
また、従業員用の補助照明器具27としては、図２に示すように、天井11に設置されてレジ内の従業員に上方から光を曝露するスポットライト38等でもよい。このスポットライト38の場合にも、補助光源26を定期的または不定期的に点滅あるいは点灯強度を変化させ、青色の単波長光を従業員に曝露することにより、従業員の覚醒水準を向上させることができる。
【００４３】
さらに、従業員用の補助照明器具27としては、レジ内の足元から従業員へ向けて青色光を照射するアッパーライト等を用いてもよい。
【００４４】
また、図３に示すように、バックヤードでは、売り場とバックヤードとの照明環境の違いの影響を取り除くため、店内と同様の主光源13が用いられる。主照明器具12の一部の主光源13に代えて補助光源26を用いたり、従業員用の補助照明器具27を別に用いて、補助光源26を定期的または不定期的に点滅あるいは点灯強度を変化させ、青色の単波長光を従業員に曝露することにより、従業員の覚醒水準を向上させることができる。
【００４５】
次に、主光源13による全体照明と従業員用の補助光源26の強度との関係について説明する。
【００４６】
２４時間営業を行うコンビニエンスストアの照明の現状では、店内の平均水平面照度が１０００lx程度となっている。
【００４７】
図６には、昼光色蛍光ランプを１００とした場合、昼白色蛍光ランプ、電球色蛍光ランプ、青色カラー蛍光ランプ、青色発光ダイオードを同じ明るさで点灯したときのメラトニン分泌抑制度合を示す。
【００４８】
図７は、主光源13による全体照明の明るさは一定で相関色温度のみを変化させた場合、全体照明の明るさに対して昼光色蛍光ランプと同程度にメラトニン分泌を抑制するために必要な補助光源26による青色光の明るさの割合を示す。
【００４９】
主光源13による全体照明の明るさは一定で相関色温度６７００Ｋの昼光色から相関色温度５０００Ｋの昼光色に変化させると、メラトニン分泌抑制度合は８割程度に抑えられる。この場合、従業員のメラトニン分泌抑制度合を低下させないためには、主光源13による明るさに対して補助光源26の明るさを５％程度の割合とする。
【００５０】
同様に、主光源13による全体照明の明るさは一定で相関色温度６７００Ｋの昼光色から相関色温度３０００Ｋの電球光色に変化させると、メラトニン分泌抑制度合は４割程度に抑えられる。この場合、従業員のメラトニン分泌抑制度合を低下させないためには、主光源13による明るさに対して補助光源26の明るさを１２％程度の割合とする。
【００５１】
このように、主光源13の相関色温度によって、照射する光に含まれるメラトニン分泌抑制効果のある青色光の割合が変化し、それに応じて、補助光源26による青色光の明るさは、主光源13の相関色温度が高いほど低く、主光源13の相関色温度が低いほど高い関係を有する。
【００５２】
すなわち、補助光源26の強度は、主光源13の２５００Ｋ〜６７００Ｋの相関色温度に応じて、主光源13による全体照明の明るさの０〜１３％の間で設定される。
【００５３】
これにより、主光源13の相関色温度に応じて、つまり主光源13の照射する光に含まれるメラトニン分泌抑制効果のある青色光の割合に応じて、補助光源26の強度の過不足がなく、必要な補助光源26の強度を適切に設定できる。
【００５４】
また、複数の相関色温度が異なる蛍光ランプを用いて時間帯により可変色制御し、昼間は昼光色、夕方は昼白色、夜間は電球色というように連続的あるいは断続的に変化させる場合、図７に示すように、全体照明の明るさに対する青色光の明るさの割合を変化させる。
【図面の簡単な説明】
【００５５】
【図１】本発明の一実施の形態を示す店舗用照明装置の商品陳列棚との関係を示す説明図である。
【図２】同上店舗用照明装置のレジとの関係を示す説明図である。
【図３】同上店舗用照明装置の事務所との関係を示す説明図である。
【図４】同上店舗用照明装置の補助光源を設置したレジスタの斜視図である。
【図５】波長とメラトニン分泌抑制度合との関係を示すグラフである。
【図６】ランプ種類とメラトニン分泌抑制度合との関係を示すグラフである。
【図７】相関色温度と青色光との関係を示すグラフである。
【符号の説明】
【００５６】
13    主光源
16，26    補助光源
【図１】
2008021426.tif 000003
【図２】
2008021426.tif 000004
【図３】
2008021426.tif 000005
【図４】
2008021426.tif 000006
【図５】
2008021426.tif 000007
【図６】
2008021426.tif 000008
【図７】
2008021426.tif 000009